(57)【特許請求の範囲】
【請求項１】
電気によって加熱された電気温水器タンク内の温水を、
第１混合弁にて水道水と混合することによって所定の温水に制御し、この温水を給湯電磁弁、温水供給路を介して浴槽に供給する風呂給湯手段と；
浴槽内の温水を、切換２方弁、モータで駆動されるポンプ、により風呂戻り通路を介してポンプ内へ吸入し、ポンプから吐出される温水を温水供給路を囲繞するヒータにて所定の温度に昇温し、再び温水供給路より浴槽へ供給する追焚き手段と；
前記電気温水器タンクの外周に配置され、電気温水器タンクを囲繞する保護パッケージと；
を備える電気給湯装置において、
金属板によって形成されるベース部材（Ｅ）を、水平板部（ＥＡ）と、垂直板部（ＥＢ）と、
垂直板部（ＥＢ）の上方より側方に延びる側板部（ＥＣ）と、により折曲げ形成し、
前記水平板部（ＥＡ）上に、モータ（Ｍ）によって駆動され、上方に向けて第１流路（Ｐ１）と第２流路（Ｐ２）とが開口するポンプ（Ｐ）を固定配置するとともにポンプ（Ｐ）の右方の前記水平板部（ＥＡ）上に、モータ（２１）、ボール弁（２２）、圧力センサ（１３）を備えるとともに上方に向けて第１流路（１２Ａ）が開口する切換２方弁（１２）が固定配置され、
又垂直板部（ＥＢ）には、温水供給路（７）の一部を構成し、外周にヒータ（９）が囲繞される垂直部（７Ｄ）が固定配置され、
更に側板部（ＥＣ）には、ワックス弁（Ｗ）、モータ（２５）を備える第１混合弁（５）と、パイロット電磁弁（２４）、フローセンサ（Ｆ）、逆止弁（２６）を備える給湯電磁弁（６）が固定配置され、
前記ポンプ（Ｐ）の第２流路（Ｐ２）と切換２方弁（１２）の第１流路（１２Ａ）とをＵ字形状をなす風呂戻り通路（１４）にて接続するとともにポンプ（Ｐ）の第１流路（Ｐ１）と前記垂直部（７Ｄ）とをＵ字形状をなす温水供給路（７）にて接続し、前記ベース部材を電気温水器タンク（１）と保護パッケージ（Ｋ）との間に形成される空間部（ｈ）に収納配置したことを特徴とする電気給湯装置。
【発明の詳細な説明】
【０００１】
【産業上の利用分野】
本発明は、電気ヒータによって加熱された電気温水器タンク内の温水を、混合弁にて水道水と混合して所定の温水に制御し、この温水を浴槽あるいはカランへ自動的に給湯する電気給湯装置に関する。
【０００２】
【従来の技術】
従来の電気給湯装置は図６に示されるもので、これは電気給湯装置の全体構成図である。
１は電気温水器タンクであり、バルブ２が開放されると、水道水は減圧弁３によって例えば１．５kg／ｃｍ2 に減圧され、この減圧された水道水が電気温水器タンク１内へ供給される。電気温水器タンク１内に流入する水道水は、電気温水器タンク１内に配置される電気ヒータにて加熱され、例えば９０℃の高温水となり、この温水は温水路４を介して外部へ供給する。
前記電気温水器タンク１のタンク容量は選択されて決定する。
又、電気温水器タンク１の外周は保護パッケージＫによっておおわれる。
５は第１混合弁であり、弁本体５Ａに冷水流入路５Ｂ、温水流入路５Ｃ、混合湯路５Ｄが開口するとともに前記流路の開口を制御する往復弁体を動作させる、ワックス弁とモータを備える。
この第１混合弁５は、温水流入路５Ｃから流入する温水と冷水流入路５Ｂから流入する水道水を混合し、任意の温度に制御された温水を混合湯路５Ｄより流出させる。
６は給湯電磁弁であり、弁本体６Ａに流入路６Ｂ、流出路６Ｃが開口するとともにパイロット電磁弁、フローセンサ、逆止弁、バキュームブレーカー等を備えるもので、パイロット電磁弁に入力される信号に応じて流出路６Ｃから流出される温水の供給、停止を制御する。
７は温水供給路であり、その下流端は浴槽８内に開口し、温水供給路７の外周にはヒータ９が囲繞される。そしてヒータ９に通電されると、温水供給路７は加熱され、温水供給路７内を流れる温水は昇温される。
前記構成において、電気温水器タンク１と第１混合弁５の温水流入路５Ｃとは温水路４によって接続され、第１混合弁５の冷水流入路５Ｂは減圧弁３より下流側の流路と水道水流路１０によって接続され、第１混合弁５の混合湯路５Ｄは給湯電磁弁６と流入路６Ｂへ接続される。又給湯電磁弁６の流出路６Ｃは温水供給路７に接続され、この温水供給路７の下端が浴槽８内に開口する。
以上が所定の温度に制御された温水を使用目的に応じて浴槽８に向けて供給あるいは停止する風呂給湯手段である。
【０００３】
ＰはモータＭの回転によってポンプ作用をなすポンプであり、ポンプＰは第１流路Ｐ１と第２流路Ｐ２とが開口する。ポンプＰは、ポンプ内の羽根が回転してポンプ作用を成すもので、第２流路Ｐ２から第１流路Ｐ１に向かって流体が昇圧されて吐出される。尚、ポンプＰの非動作時において第１流路Ｐ１から第２流路Ｐ２に向かう流体の流れは許容される。
１２はモータ、減速機、ボール弁よりなる切換２方弁であり、圧力センサ１３を備える。そしてポンプＰの第１流路Ｐ１はヒータ９より上流側の温水供給路７に、第１風呂戻り通路１４Ａにて接続され、ポンプＰの第２流路Ｐ２は切換２方弁１２の第１流路１２Ａに第２風呂戻り通路１４Ｂにて接続され、さらに切換２方弁１２の第２流路１２Ｂは、第３風呂戻り通路１４Ｃにて浴槽８に接続されて開口する。
すなわち風呂戻り通路１４は、第１，第２，第３風呂戻り通路１４Ａ，１４Ｂ，１４Ｃによって構成される。
以上が浴槽８内の温水を、ポンプＰのポンプ作用によって風呂戻り通路１４から温水供給路７に向かって循還させ、温水供給路７内を流れる温水をヒータ９によって所定の温度迄上昇させ、この温水を再び浴槽８内へ供給して浴槽８内の温度を所定温度迄上昇させる追焚き手段である。
そして前記風呂給湯手段と追焚き手段とによって風呂自動給湯ユニットＡが形成される。
【０００４】
１５は、第２混合弁であり、弁本体１５Ａに冷水流入路１５Ｂ、温水流入路１５Ｃ、混合湯路１５Ｄが開口するとともに前記流路の開口を制御する往復弁体を動作させるワックス弁と、モータを備える。
そして、温水流入路１５Ｃは、第１混合弁５と電気温水器タンク１とを接続する温水路４に第２温水路４Ａを介して接続され、冷水流入路１５Ｂは水道水流路１０と第２水道水流路１０Ａによって接続され、混合湯路１５Ｄはカラン１６と第２温水供給路７Ａによって接続される。
以上が所定の温度に制御された温水をカラン１６に向けて供給する一般給湯手段であって一般自動給湯ユニットＢをなす。
【０００５】
【発明が解決しようとする課題】
かかる従来の電気給湯装置によると、風呂自動給湯ユニットＡを構成する、第１混合弁５、給湯電磁弁６、ヒータ９及びモータＭを備えるポンプＰ、切換２方弁１２は、各別に用意され、それらは電気温水器タンクあるいは家屋の外壁等の固定部に向けて取付けステーを介してネジ締め等の締結手段をもって固定される。
そして前記各構成が固定部に固着された後において各構成が配管接続される。
又、一般自動給湯ユニットＢを構成する第２混合弁１５にあっても前記と同様に取付けステーを介して締結手段をもって電気温水器タンク１等の固定部に固定配置され、次いで配管接続される。
【０００６】
以上によると、各構成は固定部に対して取付けステーを介して締結手段によって固定されるので、その固着作業に当たって、まず電気温水器タンク、外壁等の固定部を選択して特定し、それに向けて固着する必要がある。
以上によれば固着の条件は作業工事ごとに異なるもので各構成の固定作業には多大な工数を要するのみならず困難を極める。
例えば固定部と各構成を連結する取付けステーは複数種類を用意する必要があり、また各構成の固定位置が工事ごとに異なることから配管長さ、配管形状も変化し部品の共用化が達成できない。このように固定作業に多大な工数を必要とすること、複数の部品を用意することは工事日数が延びるとともにコストが上昇して好ましいものでない。
又、風呂自動給湯ユニットＡ及び一般自動給湯ユニットＢはユニットの組付け完了後、それらの作動確認を行なう必要があり、この作動確認は工事現場において全ての組付けが終了した後でないと実施できない。
そして、仮に不具合が生じた場合、現場に充分な検査機器を用意できないことからその原因の追求、及びその対策を即座に実施できない恐れがある。
又、前記風呂自動給湯ユニットＡ、一般自動給湯ユニットＢを構成する各構成部品は、電気温水器タンク１等へ適宜固定されるもので、それらの取付け位置が特定されないことによると、電気温水器タンク１をおおう保護パッケージＫと構成部品が干渉することがある。
【０００７】
本発明になる電気給湯装置は、前記不具合に鑑み成されたもので、電気給湯装置を構成する各構成部品及びそれらを接続する配管の取付け作業性を向上するとともに取付け手段を共通化して装置全体の製造コストの低減を図ること。及び装置の品質向上を達成するとともにメンテナンス性の向上を図ること。のできる電気給湯装置を提供することを目的とする。
【０００８】
【課題を解決する為の手段】
本発明になる電気給湯装置は前記目的達成の為に、電気によって加熱された電気温水器タンク内の温水を、
第１混合弁にて水道水と混合することによって所定の温水に制御し、この温水を給湯電磁弁、温水供給路を介して浴槽に供給する風呂給湯手段と；
浴槽内の温水を、切換２方弁、モータで駆動されるポンプ、により風呂戻り通路を介してポンプ内へ吸入し、ポンプから吐出される温水を温水供給路を囲繞するヒータにて所定の温度に昇温し、再び温水供給路より浴槽へ供給する追焚き手段と；
前記電気温水器タンクの外周に配置され、電気温水器タンクを囲繞する保護パッケージと；
を備える電気給湯装置において、
金属板によって形成されるベース部材を、水平板部と、垂直板部と、
垂直板部の上方より側方に延びる側板部と、により折曲げ形成し、
前記水平板部上に、モータによって駆動され、上方に向けて第１流路と第２流路とが開口するポンプを固定配置するとともにポンプの右方の前記水平板部上に、モータ、ボール弁、圧力センサを備えるとともに上方に向けて第１流路が開口する切換２方弁が固定配置され、
又垂直板部には、温水供給路の一部を構成し、外周にヒータが囲繞される垂直部が固定配置され、
更に側板部には、ワックス弁、モータを備える第１混合弁と、パイロット電磁弁、フローセンサ、逆止弁を備える給湯電磁弁が固定配置され、
前記ポンプの第２流路と切換２方弁の第１流路とをＵ字形状をなす風呂戻り通路にて接続するとともにポンプの第１流路と前記垂直部とをＵ字形状をなす温水供給路にて接続し、前記ベース部材を電気温水器タンクと保護パッケージとの間に形成される空間部に収納配置したことを特徴とする。
【０００９】
【実施例】
以下、本発明になる電気給湯装置の一実施例を説明する。
図１は風呂自動給湯ユニットＡの構成を示す構成図であり、浴槽、電気温水器タンク、保護パッケージは省略された。
尚、図６と同一構成部品については同一符号を使用する。
Ｅは電気給湯装置を構成する各構成部品及びそれらを接続する配管を固着、固定する為のベース部材であり、本例におけるベース部材Ｅは水平方向に形成される水平板部ＥＡと、水平板部ＥＡから上方に向かう垂直板部ＥＢと、垂直板部ＥＢから側方に向かって延びる側板部ＥＣとによって構成され、これらは金属板を折曲げ形成することによって形成される。
モータＭの下方に一体配置される取付脚部ＭＡは弾性体よりなるグロメット２０を介してベース部材Ｅの水平板部ＥＡ上に螺着されるもので、このとき、第１流路Ｐ１と第２流路Ｐ２を備えるポンプＰはモータＭに接続固定されることから水平板部ＥＡ上にモータＭ、ポンプＰが固定配置される。
【００１０】
モータ２１、減速機（図示せず）、ボール弁２２、更には圧力センサ１３を備える切換２方弁１２はモータＭを備えるポンプＰの右方の水平板部ＥＡ上に固定配置される。本例においては圧力センサ１３を含めて切換２方弁１２とよんだ。切換２方弁１２は、下方から上方に向けて第２流路１２Ｂを備える下側ジョイント部材１２Ｃ、圧力センサ体１２Ｄ、弁本体１２Ｅ、第１流路１２Ａを備える上方ジョイント部材１２Ｆが図示せぬ締結バンド等によって接続されるもので、このうち下方ジョイント部材１２Ｃから側方に向かってのびる鍔部１２Ｇが水平板部ＥＡの下面に螺着固定され、その上部１２Ｈが水平板部ＥＡを貫通して上方に向かって突出して配置され、この上部１２Ｈに圧力センサ体１２Ｄが接続固定される。
従って、上方ジョイント部材１２Ｆ、弁本体１２Ｅ、圧力センサ体１２Ｄは下側ジョイント部材１２Ｃを介してベース部材Ｅの水平板部ＥＡに固定されるもので、これによって切換２方弁１２がベース部材Ｅに固定されることになる。
以上をもって、切換２方弁１２がベース部材Ｅの水平板部ＥＡ上に固定配置された。
【００１１】
温水供給路７はモータＭを備えるポンプＰの左方の水平板部ＥＡ上に固定配置される。
７Ａは温水供給路７の一部を形成する下方ジョイント部材であり、側方に向かってのびる鍔部７Ｂが水平板部ＥＡの下面に螺着固定され、その上部７Ｃが水平板部ＥＡを貫通して上方に向かって突出して配置される。
温水供給路７は前記水平板部ＥＡに固定される下方ジョイント部材７Ａの上部７Ｃに接続されるもので、このとき垂直方向に沿って配置される温水供給路７の垂直部７Ｄの外周にはヒータ９が囲繞して配置され、この垂直部７Ｄはヒータ９とともにベース部材Ｅの垂直板部ＥＢに螺着固定される。
以上によれば温水供給路７の端部は下方ジョイント部材７Ａを介して水平板部ＥＡに固定され、下方ジョイント部材７Ａの上部７Ｃから上方に向かう垂直部７Ｄが垂直板部ＥＢに固定されるもので、これによって温水供給路７は強固にベース部材Ｅに固定され、更に温水供給路７の上流側はＴ型ジョイント２３を介してポンプＰの第１流路Ｐ１に接続される。
従って温水供給路７の上流側はベース部材Ｅの水平板部ＥＡ上に固定されるポンプＰの第１流路Ｐ１に接続され、下流側は、ベース部材Ｅの水平板部ＥＡ上に固定される下方ジョイント部材７Ａの上部７Ｃに接続され、さらにその垂直部７Ｄがベース部材Ｅの垂直板部ＥＢに固定されるので温水供給路７は強固して確実にベース部材Ｅに固定される。
【００１２】
第１混合弁５は弁本体５Ａに、冷水導入路５Ｂ、温水流入路５Ｃ、混合湯路５Ｄが開口し、更にワックス弁Ｗとモータ２５を備える。
一方、ベース部材Ｅの側板部ＥＣは、垂直板部ＥＢの上方から右方に向かって折曲って形成されるもので、側板部ＥＣの腕部ＥＤ上に弁本体５Ａが配置されて螺着固定され、これによって第１混合弁５がベース部材Ｅに固定される。
【００１３】
給湯電磁弁６は弁本体６Ａに流入路６Ｂ、流出路６Ｃが開口するとともにパイロット電磁弁２４、フローセンサＦ、逆止弁２６等を備えるもので、給湯電磁弁６の流入路６Ｂは第１混合弁５の混合湯路５Ｄに固定的に接続され、流出路６ＣはＴ型ジョイント２３に固定的に接続される。
すなわち、流入路６Ｂが固定状態にある第１混合弁５の混合湯路５Ｄに接続され、流出路６Ｃが温水供給路７とともに固定状態にあるＴ型ジョイント２３に接続されたので給湯電磁弁６もまたベース部材Ｅに固定配置されることになる。
【００１４】
ここで前記各構成を接続する配管系について再度記明する。
風呂戻り通路１４は切換２方弁１２の第１流路１２ＡとポンプＰの第２流路Ｐ２とを接続し、温水供給路７の下流は下方ジョイント部材７Ａに接続され、上流はＴ型ジョイント２３を介してポンプＰの第１流路Ｐ１に接続され、更に給湯電磁弁６の流出路６ＣはＴ型ジョイント２３に接続される。
【００１５】
以上によれば、ベース部材Ｅに、風呂自動給湯ユニットＡを構成する風呂給湯手段及び追焚き手段としての以下の構成、第１混合弁５、給湯電磁弁６、モータＭを備えるポンプＰ、切換２方弁１２を固定配置できるとともにそれらの構成を接続する配管、すなわち、ヒータ９及びＴ型ジョイント２３を備える温水供給路７、風呂戻り通路１４を固定配置できたものである。
そして流路として、第１混合弁５の冷水導入路５Ｂ、温水流入路５Ｃ及び温水供給路７の下流端としての下方ジョイント部材７Ａ、風呂戻り通路１４の上流端としての下方ジョイント部材１２Ｃが外部に向かって開口することになる。
【００１６】
以上述べた図１に記載のものは、装置を簡略化して理解を深める為に用意されたもの具体的１例として図２から図４に示される。
図２は風呂自動給湯ユニットとしての電気給湯装置の正面図、図３は図２の右側面図、図４は図２の上部平面図である。
図１において用いられた符号は図２から図４に用いられる。
【００１７】
そして、前記風呂自動給湯ユニットＡは工場において組立てられるもので、アッセンブリー状態にある前記風呂自動給湯ユニットＡが組付け現場に投入され、現場において以下の作業が行なわれる。
第１に前記アッセンブリー状態にある風呂自動給湯ユニットＡが電気温水器タンク１とそれをおおう保護パッケージＫ内に配置されるもので、具体的には保護パッケージＫの側壁の開口部ＫＡから電気温水器タンク１の外周と保護パッケージＫの内周との間の間隙ｈ内に風呂自動給湯ユニットＡが挿入されるとともに保護パッケージＫの底部ＫＢ上にベース部材Ｅの水平板部ＥＡが配置され、かかる状態において水平板部ＥＡが保護パッケージＫの底部ＫＢに螺着される。
以上によると、ベース部材Ｅ及びベース部材Ｅに固定される風呂自動給湯ユニットＡの電気温水器タンク１と保護パッケージＫの間に形成される空間部ｈ内に固定配置される。
尚、かかる状態において少なくとも温水供給路７の下流端の下方ジョイント部材７Ａ及び切換２方弁１２の下方ジョイント１２Ｃは保護パッケージＫの底部ＫＢより下方に向かって突出して開口することが望ましい。
又、保護パッケージＫの前記開口部ＫＡは、美観上あるいは品質管理上の点から蓋ＫＤ等によって開閉されることが好ましい。
電気温水器タンク１と保護パッケージＫとの間に風呂自動給湯ユニットＡが装着された状態は図５に示されるので、図５はその上部平面図である。
【００１８】
次に以下の配管作業が行なわれる。
冷水導入路５Ｂは水道水流路１０を介して減圧弁３より下流側の流路に接続され、温水流入路５Ｃは、温水路４を介して電気温水器タンク１に接続される。又、温水供給路７の下流端の下方ジョイント部材７Ａは浴槽８に向かう温水供給路を介して浴槽８内へ接続されて開口され、更に風呂戻り通路１４の上流側の下方ジョイント部材１２Ｃは浴槽８に向かう風呂戻り通路を介して浴槽８内へ接続して開口される。
又、ポンプＰの右側方に切換２方弁１２が配置され、ポンプＰの左側方に温水供給路７の垂直部７Ｄが配置されたもので、このとき切換２方弁１２の第１流路１２ＡとポンプＰの第２流路Ｐ２とを接続する風呂戻り通路１４をＵ字形状とし、更にポンプＰの第１流路Ｐ１から温水供給路７の垂直部７Ｄに向かう温水供給路をＵ字形状とされる。
【００１９】
そして、第１混合弁５によって温水と水道水が適正に混合されて所定の温度を有する温水が形成され、給湯電磁弁６が開放されることにより、この温水は温水供給路７を介して浴槽８内へ供給され、更にポンプＰ、風呂戻り通路１４、切換２方弁１２を介して浴槽８内へ温水が供給される。
そして、浴槽８内への温水の供給停止は、給湯電磁弁６が流路を閉塞することによって行なわれる。
一方、浴槽８内の温度が所定の温度より低下した際、切換２方弁１２が流路を開放するとともにモータＭが駆動してポンプＰが作動を開始するもので、これによると、浴槽８内の温水は風呂戻り通路１４からポンプＰを介して温水供給路７内へ流入するもので、温水供給路７内を流れる温水はヒータ９によって所定の温度迄加熱されて所定温度に昇温され、この温水が温水供給路７より再び浴槽８内へ供給され、もって浴槽８内の温度を所定の温度に保持できる。
【００２０】
尚、本自動風呂ユニットＡによると、切換２方弁１２を閉塞することにより、圧力センサ１３によって浴槽８内の水位を測定しながら温水供給路７のみの片側給湯を行なうこと。あるいは、ポンプＰを作動することによって浴槽８内の温水を風呂戻り通路１４、温水供給路７を介して循還させ、浴槽８内の湯温の確認を行なうこと。等、種々の機能を有するものであるがそれらの説明は全て省略された。
【００２１】
【発明の効果】
以上の如く、本発明になる電気給湯装置によると、
（１）風呂自動給湯ユニットＡは予めサブアッセンブリー状態とされ、これを単に電気温水器タンク１と保護パッケージＫとの間に間隙ｈに設置すればよいので、取付け現場においてベース部材Ｅを配置する為の設置場所をいちいちさがし出す必要がなく取付け作業時間を大きく削減でき、更には従来存在する電気温水器タンク１と保護パッケージＫとの間の間隙を利用したので電気給湯装置全体としてのスペースの拡大につながることがない。
（２）サブアッセンブリー状態において、第１混合弁５の冷却水導入路５Ｂ、温水流入路５Ｃ及び両下方ジョイント部材７Ａ，１２Ｃをそれぞれ対応する流路に接続すれば風呂自動給湯ユニットＡとしての機能検査を工場段階において実施できるもので品質の著しい向上が達成できた。
（３）実際に現場において設置する際、各構成部品を固定する固定部分を見出す必要がなく、冷却水導入路５Ｂを水道管に接続し、温水流入路５Ｃを温水路４に接続し、下方ジョイント部材７Ａ，１２Ｃを浴槽内に向けて接続すればよいので現場における設置作業は極めて簡単で且つ短時間に行なうことができるもので、これらの作業に熟練を必要としない。
（４）自動風呂ユニットＡに故障が生じた際、他のユニットと交換することによって即座に故障が修復されるもので、故障ユニットはその後において不具合部分が解析される。
従って、使用者にとって使用不能の時間を大きく削減でき、商品サービス性を大きく向上できた。
（５）ベース部材Ｅが特定されるので、特に主要構成部材をベース部材Ｅに固定する為の取付けステー等の取付け部材を多種類に渡って用意する必要がなく取付け部材の共通化が達成できて製造コストを低減できる。
又、主要構成部材が特定されたベース部材Ｅの定められた位置に配置されることから各構成部材を接続する配管が共通化され製造コストを低減できる。
（６）風呂自動給湯ユニットＡを構成するほとんどの構成部品がベース部材Ｅとともに電気温水器タンク１と保護パッケージＫとの空間部ｈ内に配置されるので、外部の環境変化を受けにくいもので、構成部品を長期間に渡って良好に保持でき、耐久性の向上を達成できる。
（７）ポンプと切換２方弁のベース部材に対する取付けピッチの誤差、及びポンプと温水供給路のベース部材に対する取付けピッチの誤差を積極的に吸収でき配管の変形による流路の流れ抵抗を大きく阻害することが抑止される。
【図面の簡単な説明】
【図１】  本発明になる電気給湯装置の一実施例を示す要部断面図を含む構成図。
【図２】  本発明になる電気給湯装置の一実施例の正面図。
【図３】    図２の右側面図。
【図４】  図２の上部平面図。
【図５】  図２に示される電気給湯装置が電気温水器タンクと保護パッケージとの間隙に配置された状態を示す上部平面図。
【図６】  従来の電気給湯装置の全体構成を示すシステム図。
【符号の説明】
１        電気温水器タンク
５        第１混合弁
６        給湯電磁弁
７        温水供給路
８        浴槽
９        ヒータ
Ｐ        ポンプ
１４      風呂戻り通路
Ｋ        保護パッケージ
ｈ        電気温水器タンクと保護パッケージによって形成される空間部
【図１】
0003981941.tif 000002
【図２】
0003981941.tif 000003
【図３】
0003981941.tif 000004
【図４】
0003981941.tif 000005
【図５】
0003981941.tif 000006
【図６】
0003981941.tif 000007